(57)【特許請求の範囲】
【請求項１】
前面基板の背面側に行方向に延び列方向に並設されてそれぞれ表示ラインを形成する複数の行電極対とこの行電極対を被覆する誘電体層が形成され、前面基板と放電空間を介して対向する背面基板に列方向に延び行方向に並設された複数の列電極が設けられ、この列電極と行電極対とが交差する位置の放電空間に、少なくとも列方向に延びる縦壁を有する隔壁によって仕切られた単位発光領域が形成されるプラズマディスプレイパネルにおいて、
前記誘電体層の背面から放電空間内に突出するとともに前記単位発光領域の行方向と平行な縁部に沿って延びるように形成された第１嵩上げ誘電体層と、
前記誘電体層の背面の前記隔壁の縦壁に対向する部分から放電空間内に突出するとともに列方向に延びるように形成されて、縦壁とともに行方向に隣接する単位発光領域の間を閉塞する第２嵩上げ誘電体層とを備え、
前記第２嵩上げ誘電体層に、行方向に隣接する単位発光領域間を連通する隙間が形成され、
前記第２嵩上げ誘電体層の列方向の長さが、隣接する第１嵩上げ誘電体層間の間隔よりも短くなるように設定されて、第２嵩上げ誘電体層の端部と第１嵩上げ誘電体層の壁面との間に前記隙間が形成されていることを特徴とするプラズマディスプレイパネル。
【請求項２】
前記隔壁が行方向に延びる横壁を有していて前記縦壁とともに放電空間を升目状に区画することにより単位発光領域を形成し、前記第１嵩上げ誘電体層が隔壁の横壁とともに列方向に隣接する単位発光領域の間を閉塞している請求項１に記載のプラズマディスプレイパネル。
【発明の詳細な説明】
【０００１】
【発明の属する技術分野】
この発明は、プラズマディスプレイパネルのパネル構造に関する。
【０００２】
【発明が解決しようとする課題】
近年、大型で薄型のカラー画面表示装置として面放電方式交流型プラズマディスプレイパネルが注目を集めており、その普及が図られている。
【０００３】
図７は、従来の面放電方式交流型プラズマディスプレイパネルを模式的に示す平面図であり、図８は図７のＶ３−Ｖ３線における断面図、図９は図７のＷ４−Ｗ４線における断面図，図１０は図７のＷ５−Ｗ５線における断面図である。
【０００４】
この図７ないし１０において、プラズマディスプレイパネルの表示面となる前面ガラス基板１側には、その裏面に、複数の行電極対（Ｘ’，Ｙ’）と、この行電極対（Ｘ’，Ｙ’）を被覆する誘電体層２と、この誘電体層２の裏面を被覆するＭｇＯからなる保護層３が順に設けられている。
【０００５】
各行電極Ｘ’，Ｙ’は、それぞれ、幅の広いＩＴＯ等の透明導電膜からなる透明電極Ｘａ’，Ｙａ’と、その導電性を補う幅の狭い金属膜からなるバス電極Ｘｂ’，Ｙｂ’とから構成されている。
【０００６】
そして、行電極Ｘ’とＹ’とが放電ギャップｇ’を挟んで対向するように列方向に交互に配置されており、各行電極対（Ｘ’，Ｙ’）によって、マトリクス表示の１表示ライン（行）Ｌが構成される。
【０００７】
一方、放電ガスが封入された放電空間Ｓ’を介して前面ガラス基板１に対向する背面ガラス基板４には、行電極対Ｘ’，Ｙ’と直交する方向に延びるように配列された複数の列電極Ｄ’と、この列電極Ｄ’間にそれぞれ平行に延びるように形成された帯状の隔壁５と、この隔壁５の側面と列電極Ｄ’を被覆するそれぞれＲ，Ｇ，Ｂに色分けされた蛍光体層６とが設けられている。
【０００８】
そして、各表示ラインＬにおいて、列電極Ｄ’と行電極対（Ｘ’，Ｙ’）が交差し、隔壁５によって放電空間Ｓ’が区画されることにより形成された単位発光領域に、放電セルＣ’がそれぞれ画定されている。
【０００９】
このプラズマディスプレイパネルには、図８および９に示されるように、誘電体層２の背面側のそれぞれ背中合わせに平行に延びるバス電極Ｘｂ’とＹｂ’に対向する部分に、バス電極Ｘｂ’，Ｙｂ’に沿って平行に延びる嵩上げ誘電体層２Ａが形成されている。
【００１０】
この嵩上げ誘電体層２Ａは、誘電体層２の背面から放電空間Ｓ’内に突出するように形成されているものであり、この放電空間Ｓ’内において、互いに対向する透明電極Ｘａ’とＹａ’の間に発生する面放電ｄがバス電極Ｘｂ’およびＹｂ’の側に広がるのを抑制することによって、列方向において互いに隣接する放電セルＣ’間において誤放電が発生するのを防止するように機能するものである。
【００１１】
上記の面放電方式交流型プラズマディスプレイパネルにおける画像の表示は、以下のようにして行われる。
すなわち、先ず、アドレス操作により、各放電セルＣ’において行電極対（Ｘ’，Ｙ’）と列電極Ｄ’との間で選択的に放電（対向放電）が行われ、点灯セル（誘電体層２に壁電荷が形成された放電セル）と消灯セル（誘電体層２に壁電荷が形成されなかった放電セル）とが、表示する画像に対応してパネル上に分布される。
【００１２】
そして、このアドレス操作の後、全表示ラインＬにおいて一斉に、行電極対（Ｘ’，Ｙ’）に対して交互に放電維持パルスが印加され、点灯セルにおいて、この放電維持パルスが印加される毎に、この点灯セルを挟むように位置する隣接する一対の嵩上げ誘電体層２Ａの間の空間内において面放電が発生されて、この面放電により発生する紫外線により、放電空間Ｓ’内のＲ，Ｇ，Ｂの蛍光体層６がそれぞれ励起されて発光することによって、表示画像が形成される。
【００１３】
上記のように、従来のＰＤＰは、バス電極Ｘｂ’，Ｙｂ’と対向する部分において行方向に延びるように形成された嵩上げ誘電体層２Ａにより、列方向への放電の広がりを抑制して、列方向において互いに隣接する放電セルＣ’間での放電の干渉を防止するようになっている。
【００１４】
しかしながら、この従来のＰＤＰは、図１０に示されるように、行方向において隣接する放電セルＣ’間においては、放電セルＣ’内への放電ガスの封入と放電セルＣ’からの排気のために隔壁５と誘電体層２との間に隙間ｒ’が形成されており、このために、図７に示されるように、面放電ｄが隙間ｒ’を介して行方向において隣接する隣の放電セルＣ’に広がって放電の干渉が生じる虞れがある。
【００１５】
また、列方向における放電の広がりも、前述したように嵩上げ誘電体層２Ａによって一応防止されるが、面放電ｄが嵩上げ誘電体層２Ａを越えて生じるような場合には、列方向において隣接する放電セルＣ’間における放電の干渉を完全に防止することは出来ない。
【００１６】
そして、このような行方向および列方向における放電の干渉は、画像の高精細化に伴って放電セルのピッチが小さくなればなるほど発生の可能性が高くなり、放電の干渉が生じると、点灯すべき放電セルが消灯したり、消灯すべき放電セルが点灯したりして画像に乱れが生じてしまう。
【００１７】
この発明は、上記のような従来のプラズマディスプレイパネルにおける問題点を解決するために為されたものである。
すなわち、この発明は、隣接する放電セル間における放電の干渉を有効に防止して、安定した画像の表示を行うことが出来るプラズマディスプレイパネルを提供することを目的としている。
【００１８】
【課題を解決するための手段】
第１の発明によるプラズマディスプレイパネルは、上記目的を達成するために、前面基板の背面側に行方向に延び列方向に並設されてそれぞれ表示ラインを形成する複数の行電極対とこの行電極対を被覆する誘電体層が形成され、前面基板と放電空間を介して対向する背面基板に列方向に延び行方向に並設された複数の列電極が設けられ、この列電極と行電極対とが交差する位置の放電空間に、少なくとも列方向に延びる縦壁を有する隔壁によって仕切られた単位発光領域が形成されるプラズマディスプレイパネルにおいて、前記誘電体層の背面から放電空間内に突出するとともに前記単位発光領域の行方向と平行な縁部に沿って延びるように形成された第１嵩上げ誘電体層と、前記誘電体層の背面の前記隔壁の縦壁に対向する部分から放電空間内に突出するとともに列方向に延びるように形成されて、縦壁とともに行方向に隣接する単位発光領域の間を閉塞する第２嵩上げ誘電体層とを備え、前記第２嵩上げ誘電体層に、行方向に隣接する単位発光領域間を連通する隙間が形成され、  前記第２嵩上げ誘電体層の列方向の長さが、隣接する第１嵩上げ誘電体層間の間隔よりも短くなるように設定されて、第２嵩上げ誘電体層の端部と第１嵩上げ誘電体層の壁面との間に前記隙間が形成されていることを特徴としている。
【００１９】
この第１の発明によるプラズマディスプレイパネルは、画像形成の際に各行電極対において発生される面放電が、第１嵩上げ誘電体層間に挟まれることによって、列方向において隣接する隣の単位発光領域まで広がるのが抑制され、これによって、列方向において隣接する単位発光領域間において放電の干渉が生じるのが防止される。
【００２０】
さらに、このプラズマディスプレイパネルは、誘電体層に形成された第２嵩上げ誘電体層が、隔壁の縦壁とともに、行方向において隣接する単位発光領域間を閉塞していることにより、面放電が行方向において隣接する隣の単位発光領域まで広がるのが阻止され、これによって、行方向において隣接する単位発光領域間において放電の干渉が生じるのが防止される。
【００２１】
以上のように、上記第１の発明によれば、第１嵩上げ誘電体層と第２嵩上げ誘電体層によって、行方向と列方向において隣接する何れの単位発光領域間においても放電の干渉が生じるのが有効に防止されるので、安定した画像の表示を行うことが出来るようになる。
さらに、第２嵩上げ誘電体層と隔壁の縦壁によって面放電が行方向に隣接する隣の単位発光領域に広がるのが阻止され、これによって放電の干渉が生じるのが防止されるとともに、第２嵩上げ誘電体層に形成された隙間を介して行方向に隣接する単位発光領域の間が連通されることにより、放電の干渉を防止しながら各単位発光領域の放電空間への放電ガスの封入や放電空間からの排気を行うことができ、また、行方向において隣接する単位発光領域間において連鎖的に放電を生じさせるプライミング効果を確保することが出来る。
【００２４】
第２の発明によるプラズマディスプレイパネルは、前記目的を達成するために、第１の発明の構成に加えて、前記隔壁が行方向に延びる横壁を有していて前記縦壁とともに放電空間を升目状に区画することにより単位発光領域を形成し、前記第１嵩上げ誘電体層が隔壁の横壁とともに列方向に隣接する単位発光領域の間を閉塞していることを特徴としている。
【００２５】
この第２の発明によるプラズマディスプレイパネルによれば、列方向に隣接する単位発光領域の間が第１嵩上げ誘電体層と隔壁の横壁とによって閉塞されていることによって、第１嵩上げ誘電体層のみの場合と比較して、列方向に隣接する単位発光領域への面放電の広がりを完全に阻止することが出来、これによって放電の干渉がさらに有効に防止されて、安定した画像の表示が可能になるとともに、画面の高精細化を図ることが可能になる。
【００２６】
【発明の実施の形態】
以下、この発明の最も好適と思われる実施の形態について、図面を参照しながら詳細に説明を行う。
【００２７】
図１ないし６は、この発明によるプラズマディスプレイパネル（以下、ＰＤＰという）の実施形態の一例を示すものであって、図１はＰＤＰの行電極対と隔壁との関係を模式的に表す平面図であり、図２は図１のＶ１−Ｖ１線における断面図、図３は図１のＶ２−Ｖ２線における断面図、図４は図１のＷ１−Ｗ１線における断面図、図５は図１のＷ２−Ｗ２線における断面図、図６は図１のＷ３−Ｗ３線における断面図である。
【００２８】
この図１ないし６において、表示面である前面ガラス基板１０の背面に、複数の行電極対（Ｘ，Ｙ）が、前面ガラス基板１０の行方向（図１の左右方向）に延びるように平行に配列されている。
【００２９】
行電極Ｘは、Ｔ字形状に形成されたＩＴＯ等の透明導電膜からなる透明電極Ｘａと、前面ガラス基板１０の行方向に延びて透明電極Ｘａの狭小の基端部に接続された金属膜からなるバス電極Ｘｂによって構成されている。
【００３０】
行電極Ｙも同様に、Ｔ字形状に形成されたＩＴＯ等の透明導電膜からなる透明電極Ｙａと、前面ガラス基板１０の行方向に延びて透明電極Ｙａの狭小の基端部に接続された金属膜からなるバス電極Ｙｂによって構成されている。
【００３１】
この行電極ＸとＹは、前面ガラス基板１０の列方向（図１の上下方向）に交互に配列されており、バス電極ＸｂとＹｂに沿って並列されたそれぞれの透明電極ＸａとＹａが、互いに対となる相手の行電極側に延びて、透明電極ＸａとＹａの幅広部の頂辺が、それぞれ所要の幅の放電ギャップｇを介して互いに対向されている。
【００３２】
バス電極Ｘｂ，Ｙｂは、それぞれ表示面側の黒色導電層Ｘｂ’，Ｙｂ’と背面側の主導電層Ｘｂ”，Ｙｂ”の二層構造に形成されている。
前面ガラス基板１０の背面には、さらに、行電極対（Ｘ，Ｙ）を被覆するように誘電体層１１が形成されており、この誘電体層１１の背面には、互いに隣接する行電極対（Ｘ，Ｙ）の隣り合うバス電極ＸｂおよびＹｂと対向する位置及び隣り合うバス電極Ｘｂとバス電極Ｙｂの間の領域と対向する位置に、誘電体層１１の背面側に突出する第１嵩上げ誘電体層１１Ａが、バス電極Ｘｂ，Ｙｂと平行に延びるように形成されている。
【００３３】
誘電体層１１の背面には、さらに、図３から分かるように、行方向に並んでいる透明電極ＸａとＹａの各対の間の中間位置に対向する部分に、列方向に延びる所定長さの第２嵩上げ誘電体層１１Ｂが、第１嵩上げ誘電体層１１Ａと同じ高さで突出するように形成されている。
【００３４】
そして、この第２嵩上げ誘電体層１１Ｂの長さは、隣接する第１嵩上げ誘電体層１１Ａ間の間隔よりも短くなるように設定されていて、第２嵩上げ誘電体層１１Ｂの両端部と第１嵩上げ誘電体層１１Ａの壁面との間に、それぞれ、隙間ｒが形成されている。
【００３５】
この誘電体層１１および第１嵩上げ誘電体層１１Ａ，第２嵩上げ誘電体層１１Ｂの背面側には、これらを被覆するＭｇＯからなる保護層１２が形成されている。
【００３６】
一方、前面ガラス基板１０と平行に配置された背面ガラス基板１３の表示側の面上には、列電極Ｄが、各行電極対（Ｘ，Ｙ）の互いに対となった透明電極ＸａおよびＹａに対向する位置において行電極対（Ｘ，Ｙ）と直交する方向（列方向）に延びるように、互いに所定の間隔を開けて平行に配列されている。
【００３７】
背面ガラス基板１３の表示側の面上には、さらに、列電極Ｄを被覆する白色の誘電体層１４が形成され、この誘電体層１４上に、隔壁１５が形成されている。隔壁１５は、互いに平行に配列された各列電極Ｄの間の位置において列方向に延びる縦壁１５ａと、嵩上げ誘電体層１１Ａに対向する位置において行方向に延びる横壁１５ｂとによって井桁状に形成されている。
【００３８】
そして、この隔壁１５によって、前面ガラス基板１０と背面ガラス基板１３の間の放電空間Ｓが、各行電極対（Ｘ，Ｙ）において対となった透明電極ＸａとＹａに対向する部分毎に升目状に区画されて、それぞれ方形の放電セルＣが形成されている。
【００３９】
この隔壁１５は、その表示面側に形成されたが黒色層（光吸収層）１５’と背面側の白色層（光反射層）１５”の二層構造に形成されており、放電セルＣに面する側壁面がほぼ白色（すなわち、光反射層）になるように構成されている。
【００４０】
この隔壁１５の縦壁１５ａの表示側の面には、第２嵩上げ誘電体層１１Ｂが保護層１２を介して当接され、横壁１５ｂの表示側の面には、第１嵩上げ誘電体層１１Ａが保護層１２を介して当接されており、列方向に並んでいる各放電セルＣ間が横壁１５ｂと第１嵩上げ誘電体層１１Ａによって閉塞され、行方向に並んでいる各放電セルＣ間が縦壁１５ａと第２嵩上げ誘電体層１１Ｂにより隙間ｒの部分を除いて閉塞されている。
【００４１】
放電セルＣに面する隔壁１５の縦壁１５ａおよび横壁１５ｂの側面と誘電体層１４の表面には、これらの五つの面を全て覆うように蛍光体層１６がそれぞれ形成されている。
【００４２】
この蛍光体層１６の色は、各放電セルＣ毎にＲ，Ｇ，Ｂの色が行方向に順に並ぶように設定される。
そして、各放電セルＣの放電空間内には、放電ガスが封入されている。
【００４３】
上記のＰＤＰは、行電極対（Ｘ，Ｙ）がそれぞれマトリクス表示画面の１表示ライン（行）Ｌを構成し、また、井桁状の隔壁１５によって放電空間Ｓが升目状に区画されることにより、それぞれ方形の放電セルＣが形成されている。
【００４４】
このＰＤＰにおける画像表示は、従来のＰＤＰと同様に行われる。
【００４５】
すなわち、先ず、アドレス操作により、各放電セルＣにおいて行電極対（Ｘ，Ｙ）と列電極Ｄとの間で選択的に放電が行われ、全表示ラインＬに点灯セル（誘電体層１１に壁電荷が形成された放電セル）と消灯セル（誘電体層１１に壁電荷が形成されなかった放電セル）とが、表示する画像に対応して、パネル上に分布される。
【００４６】
このアドレス操作の後、全表示ラインＬにおいて一斉に、行電極対（Ｘ，Ｙ）に対して交互に放電維持パルスが印加され、この放電維持パルスが印加される毎に、各点灯セルにおいて面放電が発生される。
【００４７】
以上のようにして、点灯セルにおける面放電により紫外線が発生され、放電空間Ｓ内のＲ，Ｇ，Ｂの各蛍光体層１６がそれぞれ励起されて発光することにより、表示画面が形成される。
【００４８】
そして、上記ＰＤＰは、誘電体層１１に形成された第１嵩上げ誘電体層１１Ａと隔壁１５の横壁１５ｂの表示側の面とが、第１嵩上げ誘電体層１１Ａを被覆する保護層１２を介して当接されて、列方向において隣接する放電セルＣ間を閉塞していることにより、この列方向において隣接する放電セルＣ間において放電の干渉が生じるのが防止される。
【００４９】
さらに、このＰＤＰは、誘電体層１１に形成された第２嵩上げ誘電体層１１Ｂと隔壁１５の縦壁１５ａの表示側の面とが、第２嵩上げ誘電体層１１Ｂを被覆する保護層１２を介して当接されて、行方向において隣接する放電セルＣ間を閉塞していることにより、この行方向において隣接する放電セルＣ間において放電の干渉が生じるのが防止される。
【００５０】
そして、各放電セルＣへの放電ガスの封入や放電セルＣからの放電ガスの排気は、第２嵩上げ誘電体層１１Ｂの両端部において縦壁１５ａと保護層１２との間に形成された隙間ｒを通して行われ、さらに、行方向において隣接する放電セルＣ間において連鎖的に放電を生じさせるプライミング効果も、この隙間ｒを介して確保される。
【００５１】
なお、上記ＰＤＰは、行電極Ｘ，Ｙの透明電極Ｘａ，Ｙａが、バス電極Ｘｂ，Ｙｂから互いに対となる相手の行電極側に延びて、それぞれ放電セルＣ毎に島状に独立するように構成されているために、画像の精細度を上げるために各放電セルＣのサイズを小さくしても、行方向において隣接する放電セルＣ間における放電の干渉の発生がさらに防止される。
【００５２】
なお、上記の例においては、放電セルを区画する隔壁が縦壁と横壁を備えていて放電空間が升目状に区画されているＰＤＰについて説明を行ったが、図７に示されるように隔壁が列方向に延びる帯状に形成されているＰＤＰについても同様に、誘電体層の背面側に行方向に延びる第１嵩上げ誘電体層と列方向に延びる第２嵩上げ誘電体層を形成することによって、列方向と行方向に隣接する何れの放電セル間においても、画像形成の際の面放電が干渉を生じるのを防止することができる。
【００５３】
また、上記の例においては、行方向において隣接する放電セル間を連通する隙間を第２嵩上げ誘電体層側に形成したが、縦壁側に形成するようにしても良い。
【００５４】
さらにまた、上記の例では、隔壁の表示面の側に黒色層を形成してブラックマトリクスとしたが、これに代えて、第１および第２嵩上げ誘電体層を黒色層にしてブラックマトリクスを構成するようにしても良い。
【図面の簡単な説明】
【図１】この発明の実施形態における一例を模式的に表す平面図である。
【図２】図１のＶ１−Ｖ１線における断面図である。
【図３】図１のＶ２−Ｖ２線における断面図である。
【図４】図１のＷ１−Ｗ１線における断面図である。
【図５】図１のＷ２−Ｗ２線における断面図である。
【図６】図１のＷ３−Ｗ３線における断面図である。
【図７】従来のプラズマディスプレイパネルを模式的に示す平面図である。
【図８】図７のＶ３−Ｖ３線における断面図である。
【図９】図７のＷ４−Ｗ４線における断面図である。
【図１０】図７のＷ５−Ｗ５線における断面図である。
【符号の説明】
１０    …前面ガラス基板（前面基板）
１１    …誘電体層
１１Ａ  …第１嵩上げ誘電体層
１１Ｂ  …第２嵩上げ誘電体層
１２    …保護層
１３    …背面ガラス基板（背面基板）
１４    …誘電体層
１５    …隔壁
１５ａ  …縦壁
１５ｂ  …横壁
Ｘ      …行電極
Ｙ      …行電極
Ｘａ    …透明電極
Ｙａ    …透明電極
Ｘｂ    …バス電極
Ｙｂ    …バス電極
Ｄ      …列電極
Ｓ      …放電空間
Ｃ      …放電セル（単位発光領域）
ｇ      …ギャップ
ｒ      …隙間
【図１】
0003960579.tif 000002
【図２】
0003960579.tif 000003
【図３】
0003960579.tif 000004
【図４】
0003960579.tif 000005
【図５】
0003960579.tif 000006
【図６】
0003960579.tif 000007
【図７】
0003960579.tif 000008
【図８】
0003960579.tif 000009
【図９】
0003960579.tif 000010
【図１０】
0003960579.tif 000011